(57)【要約】【課題】  ペット運転中における新規の乗り場呼びはすべて無効となっており、この間、一般乗客は乗り場呼びを登録できないため、ペット運転の終了を待ってから釦を登録する必要がある。【解決手段】  ロビー階にペット運転専用のペット専用ＵＰ釦を設置し、中間階から最上階の各階に、ペット専用Ｄｏｗｎ釦のみを設置し、これら専用釦の登録により常に上記ロビー階と目的階間で昇降２方向の運転のみを行い上記目的階から上方向への運転を禁止し、また上記中間階から上記最上階の各階の乗場に設置された上記ペット専用Ｄｏｗｎ釦の何れかが登録されると、上記ロビー階のかご呼びを常に自動登録し更に下方向運転時、中間階への乗継ぎを禁止する。【選択図】図１
2005193996.tif 000002
【特許請求の範囲】
【請求項１】
ロビー階にペット運転専用のペット専用ＵＰ釦を設置し、中間階から最上階の各階にペット専用Ｄｏｗｎ釦のみを設置し、これらペット運転専用釦の登録により常に上記ロビー階と目的階間で昇降２方向の運転のみを行い上記目的階から上方向への運転を禁止する制御手段、及び上記中間階から上記最上階の各階の乗場に設置された上記ペット専用Ｄｏｗｎ釦の何れかが登録されると上記ロビー階のかご呼びを常に自動登録し更に下方向運転時、中間階への乗継ぎを禁止する制御手段とを備えたことを特徴とするペット用エレべ−ター運転装置。
【請求項２】
一般用釦及び上記ペット運転専用釦の双方の釦操作時、先に登録された釦の操作を優先させる制御手段を備えたことを特徴とする請求項１記載のペット用エレべ−ター運転装置。
【請求項３】
既存のかご呼びや一般用の乗場呼びがある状況で上記ペット運転専用釦を登録した時、上記ペット運転専用釦の登録階を一旦記憶し、既存の呼びがなくなった時点で上記登録階を割当し、ペット専用運転へ移行する運転切替制御手段を備えたことを特徴とする請求項１記載のペット用エレべ−ター運転装置。
【請求項４】
ペット専用運転中に上記一般用釦が押された場合、上記一般用釦の登録階を記憶し、ペット運転終了後にその登録階へ運行する運転切替制御手段を備えたことを特徴とする請求項１記載のペット用エレべ−ター運転装置。
【請求項５】
各階の乗り場に設置され、乗場及びかご呼びを自動登録する機能を有するペット専用のカードリーダー５と、上記ロビー階から目的階までの昇降２方向間或いは飼い主のペット運転パターンに合せた飼い主の登録階情報を予め記憶した磁気カード４とで構成されたセキュリテイ装置を備えたことを特徴とする請求項１記載のペット用エレべ−ター運転装置。
【発明の詳細な説明】
【技術分野】
【０００１】
この発明はペットを連れた乗客用のエレべ−ター運転装置に関するものである。
【背景技術】
【０００２】
従来のペット用エレべ−ターの運転装置は、特許文献１のように、乗かご内に乗客がいなくなった後にその階床に上記乗かごを呼ぶ専用呼び登録手段と、乗かご内運転盤の行先階登録釦を操作したとき、その行先階へ直通運転する直通運転手段とを設けることによって、乗かご内に一般利用者がいなくなった後に、ペットを伴った利用者が乗り込めるようにし、また乗かご内に乗り込んだ後は乗かごをペットを伴った利用者の行先階まで直行運転するようにし、一般利用者との乗り合わせをなくして迷惑をかけないようにしたものが提案されている。
【０００３】
【特許文献１】特開２００３−２５４８号公報
【発明の開示】
【発明が解決しようとする課題】
【０００４】
従来のペット用エレべ−ターの運転装置では、ペット運転中における新規の乗り場呼びはすべて無効となっており、この間、一般乗客は乗り場呼びを登録できないため、ペット運転の終了を待ってから釦を登録する必要がある。ペット運転から平常運転の切り替えがスムーズにできない。ペット運転中の行き先階のかご呼びを自動登録する手段がないため、ペット同伴者は毎回かご呼びを登録する必要があるなどの問題点があった。
【課題を解決するための手段】
【０００５】
この発明に係わるペット用エレべ−ター運転装置は、ロビー階にペット運転専用のペット専用ＵＰ釦を設置し、中間階から最上階の各階に、ペット専用Ｄｏｗｎ釦のみを設置し、これらペット運転専用釦の登録により常に上記ロビー階と目的階間で昇降２方向の運転のみを行い上記目的階から上方向への運転を禁止する制御手段、及び上記中間階から上記最上階の各階の乗場に設置された上記ペット専用Ｄｏｗｎ釦の何れかが登録されると上記ロビー階のかご呼びを常に自動登録し更に下方向運転時、中間階への乗継ぎを禁止する制御手段とを備えたものである。
【発明の効果】
【０００６】
この発明によれば、乗り場に設置されるペット専用釦の登録により、行き先階のかご呼びを自動登録する機能を有しているので、ペット運転中においても一般の乗り場呼びを受付け、その登録された階を記憶し、ペット運転終了のタイミングで自動応答させることができ、このように自動登録機能を付加することでペット運転と平常運転の切り替えを、よりスムーズにすることができる。又、一般用運転とペット運転の優先づけを平等にし、その運転効率を向上させることができ、一般乗客へのサービスも向上する。
【発明を実施するための最良の形態】
【０００７】
以下、図面に基づいて、この発明の各実施の形態を説明する。
なお、各図間において、同一符号は同一あるいは相当部分を示す。
【０００８】
実施の形態１．
図１はこの発明の実施の形態１におけるペット用エレべ−ターの運転装置の構成を示す正面図で、図１において、ペット運転専用の釦は次のように設置される。
すなわち、ロビー階ＬＢに、ペット専用ＵＰ釦１０が設置され、中間階から最上階の各階には、ペット専用Ｄｏｗｎ釦１のみをそれぞれ設置する。これらの専用釦１と１０の制御部は運転装置内に設けられている。
これらの専用釦１または１０の登録により、常にロビー階ＬＢと目的階間の上方（ＵＰ）と下方（ＤＯＷＮ）の昇降２方向間運転のみを行い、中間階から上方向への運転を禁止する。例えば、中間階及び最上階の乗場に設置されたペット専用Ｄｏｗｎ釦１が登録されると、ロビー階ＬＢのかご呼びを常に自動登録し、更にＤｏｗｎ方向運転における中間階への乗継ぎを禁止する。この為、上記制御部には、Ｄｏｗｎ方向運転時、全てのかご呼びの登録を無効とする機能を備えている。２は乗場でエレベーターを呼ぶための一般用乗場釦（一般呼び）、３は出入り口上方に設けたペット運転乗場専用灯である。
なお、上記運転装置には、次に説明するフローチャートの動作を行う各制御部（図示せず）が設けられている。
【０００９】
次に図２のフローチャートに基づいて動作を説明する。
シングル運転のエレべ−ターの乗場中間階において、ペット専用Ｄｏｗｎ釦１が登録される（ａ）と釦灯が点灯する（ｂ）。
上記釦の登録時に、既存のかご或いは一般乗場呼び（ｃ）があれば、その呼びに優先的に応答し（ｄ）、全ての既存呼びに応答した後（ｅ）でペット専用運転へ移行する（ｆ）。
【００１０】
上記のステップを経て、ペット専用運転へ移行すると（ｆ）、各乗場に設置された専用灯３が一斉に点灯し（ｌ）、ペット専用運転中であることを一般乗客に知らせる。
なお、この時（ペット専用釦登録後に）、新規に一般乗場呼び２が登録された場合は（ｇ）、この登録を無効とせず、登録階を記憶させ（ｈ）、ペット専用運転終了後（ｉ）に、この登録階へ順次応答する準備を行う（ｊ）（ｋ）。
【００１１】
ペット専用運転では、ロビー階⇔目的階間の２方向運転を行い、更にＤｏｗｎ方向運転時の中間階への乗継ぎを無効（ｍ）とする。この為、かごがＤｏｗｎ方向へ移動する場合は、ロビー階のかご呼びが常に自動登録され、その他のかご呼びの登録は、記憶されてはいるが（ｈ）、この間その動作は無効となる（ｎ）。
【００１２】
この運転により、かごは、登録階へ走行し（ｏ）、到着すると釦灯を消灯する（ｐ）。戸開完了後（ｑ）、犬と飼い主がかごに乗込み、戸閉完了すると（ｒ）、かごは前記目的階へ向け走行する（ｓ）。目的階へ到着し、犬と飼い主が降りた後（ｔ）、戸閉完了で（ｕ）ペット専用運転が終了となり（ｖ）、専用灯３は消灯し（ｗ）、一般乗客用運転へ復帰する（ｘ）。この時、ペット専用運転中に記憶された一般乗場呼びがあれば、順次その呼びに応答する（ｊ）（ｋ）。
【００１３】
実施の形態２．
図３はこの発明の実施の形態２における運転装置の運転フローチャートで、ペット専用のセキュリテイ装置を設置した場合の運転動作を示している。
このセキュリテイ装置は、ペット運転専用釦がいたずらで登録される可能性がある場合に専用乗場釦の代わりに設置されるもので、図１に示すように各階（乗場ロビー階）にペット専用のカードリーダー５が設置され、各飼い主には後述の磁気カード４を配布しておくものである。上記磁気カード４には、ロビー階⇔目的階までの昇降２方向間或いは飼い主のペット運転パターンに合せた飼い主の登録階情報を予め記憶しておき、又、上記カードリーダー５には、乗場及びかご呼びを自動登録する機能を持たせてある。
【００１４】
次に、図３に基づき動作を説明する。
ペット専用のカードリーダー５に飼い主がカード４を挿入すると（ａ１）、目的階が自動登録され、飼い主は、かご・乗場呼びを登録することなく、ペット専用運転が可能になる（ｂ１）。呼びの自動登録は、カードリーダー登録階のデーターを上記制御部のＣＰＵで記憶しているのでそのデーターと、かご現在位置データーとを比較することで決定される（ｃ１）。
その他ペット専用運転については、上記実施の形態１と同じである為その説明は省略する。
【００１５】
上記のように、乗り場にカードリーダー５などの登録装置を設け、カード４をその装置に近づけることにより、目的階のかご呼びを自動登録する自動登録機能を付加することでペット運転と平常運転の切り替えをよりスムーズにすることができる。
【図面の簡単な説明】
【００１６】
【図１】この発明の実施の形態１における運転装置の構成を示す正面図である。
【図２】この発明の実施の形態１における運転装置の運転フローチャートである。
【図３】この発明の実施の形態２における運転装置の運転フローチャートである。
【符号の説明】
【００１７】
１  ペット専用Ｄｏｗｎ釦              １０  ペット専用ＵＰ釦
２  一般用乗場釦（一般呼び）            ３  ペット運転乗場専用灯
４  磁気カード                          ５  ペット専用カードリ一ダー装置
【図１】
2005193996.tif 000003
【図２】
2005193996.tif 000004
【図３】
2005193996.tif 000005